(57)【要約】【課題】外部施設が有するサイクロトロンを有効活用して放射性薬剤の安定的な製造を可能とする技術を提供する。【解決手段】放射性薬剤の製造支援装置（１０）は、サイクロトロンを有する複数の提供施設における放射性核種の製造情報を取得する施設管理部（１１）と、放射性核種の提供を受け放射性薬剤を製造する製剤施設における製造ロットで必要となる放射性核種の量を示す必要量情報を取得する製剤管理部（１３）と、取得された製造情報及び必要量情報に基づいて、複数の提供施設の中から一以上の提供施設を当該製造ロット用の当該放射性核種の発注先施設として選択する発注調整部（１５）と、を備える。【選択図】図２
2018106642.tif 000002
【特許請求の範囲】
【請求項１】
サイクロトロンを有する複数の提供施設における放射性核種の製造情報を取得する施設管理部と、
前記放射性核種の提供を受け放射性薬剤を製造する製剤施設における製造ロットで必要となる前記放射性核種の量を示す必要量情報を取得する製剤管理部と、
前記取得された製造情報及び必要量情報に基づいて、前記複数の提供施設の中から一以上の提供施設を前記製造ロット用の前記放射性核種の発注先施設として選択する発注調整部と、
を備える放射性薬剤の製造支援装置。
【請求項２】
前記発注調整部は、前記発注先施設を複数選択した場合に、該複数の発注先施設の各々が提供可能な量でありかつ前記必要量情報が示す必要量を満たすように、該複数の発注先施設の各々についての発注量をそれぞれ決定する、
請求項１に記載の放射性薬剤の製造支援装置。
【請求項３】
前記発注調整部は、
前記複数の提供施設の中から前記製造ロット用の前記放射性核種の発注先候補として複数の発注候補施設を選択し、
前記複数の発注候補施設の各々についての希望発注量をそれぞれ決定し、
前記希望発注量に対する前記複数の発注候補施設からの回答情報に基づいて、前記複数の発注候補施設の各々について前記発注先施設とするか否かを判定する、
請求項１又は２に記載の放射性薬剤の製造支援装置。
【請求項４】
前記発注調整部は、前記回答情報に基づいて、該回答情報に対応する発注候補施設を前記製造ロット用の前記放射性核種の前記発注先候補から除外し、前記複数の提供施設の中から新たな発注先候補を選択し直す、
請求項３に記載の放射性薬剤の製造支援装置。
【請求項５】
前記発注調整部は、前記回答情報に基づいて、該回答情報に対応する発注候補施設を前記発注先施設に決定すると共に、該発注先施設の前記希望発注量を変更する、
請求項３又は４に記載の放射性薬剤の製造支援装置。
【請求項６】
前記発注調整部は、前記複数の提供施設の中から、提供可能な前記放射性核種の量が多い又は前記放射性核種の輸送時間が短い提供施設を優先的に選択することで、前記発注候補施設の数を制限する、
請求項３から５のいずれか一項に記載の放射性薬剤の製造支援装置。
【請求項７】
前記放射性核種の輸送手段の前記発注先施設への到着時刻又は前記製剤施設への到着時刻を示す輸送情報を生成する輸送管理部、
を更に備える請求項１から６のいずれか一項に記載の放射性薬剤の製造支援装置。
【請求項８】
サイクロトロンを有する複数の提供施設における放射性核種の製造情報を取得し、
前記放射性核種の提供を受け放射性薬剤を製造する製剤施設における製造ロットで必要となる前記放射性核種の量を示す必要量情報を取得し、
前記取得された製造情報及び必要量情報に基づいて、前記複数の提供施設の中から一以上の提供施設を前記製造ロット用の前記放射性核種の発注先施設として選択する、
ことを含む放射性薬剤の製造支援方法。
【発明の詳細な説明】
【技術分野】
【０００１】
本発明は、放射性薬剤の製造を支援する技術に関する。
【背景技術】
【０００２】
現在、放射性医薬品メーカの他、医療機関や研究施設など、サイクロトロンを設置している施設が数多く存在している。サイクロトロンは、放射性薬剤の原料となる放射性核種（以降、ＲＩ（radioisotope）と表記する場合もある）を製造する設備である。サイクロトロンを導入している医療機関は、ＲＩを製造し薬剤の合成及び品質検査を行うことで、自前で放射性薬剤を製造し、ＰＥＴ（Positron Emission Tomography）検査やＳＰＥＣＴ（Single Photon Emission Computed Tomography）検査を行う。一方で、サイクロトロンを持たず、放射性医薬品メーカから放射性医薬品のデリバリを受けて、ＰＥＴ検査やＳＰＥＣＴ検査を行う医療機関も多い。放射性薬剤は、使用する放射性核種の半減期により有効期間が短く、医療機関内にストックしておくことは難しいため、放射性薬剤の製造設備を持たない医療機関には安定的に供給されることが求められる。
【０００３】
特許文献１には、半減期の短い核種を検診に有効に利用する手法が記載されている。具体的には、サイクロトロンを有する病院施設で製造された核種（１８Ｆ）の余剰分を他の病院施設に供給し、その病院施設内の合成装置によってその供給された核種を原料に薬剤の合成が行われ、製造された放射性薬剤が陽電子放出型ＣＴ検査に供される。特許文献１に記載される手法は、このようなプロセスの時間をその核種の半減期を元に算出して時間スケジュールを作成することで、半減期の短い核種を検診に有効活用する。
【先行技術文献】
【特許文献】
【０００４】
【特許文献１】特開２００１−１７２２０４号公報
【発明の概要】
【発明が解決しようとする課題】
【０００５】
放射性薬剤はストックすることが困難であるため、放射性薬剤を利用する施設（以降、利用施設と表記される）は、薬剤の利用スケジュールに応じて適切な量を確実に準備する必要がある。ところが、各利用施設の薬剤の利用タイミングはまちまちであり、当該利用施設のうちの製造設備を持つ各利用施設でのＲＩの製造タイミングもまちまちである。このため、特許文献１の上記手法では、各利用施設にとって必要なタイミングに必要な量のＲＩの提供を安定的に受けることは難しい。
本発明は、このような事情に鑑みてなされたものであり、外部施設が有するサイクロトロンを有効活用して放射性薬剤の安定的な製造を可能とする技術を提供する。
【課題を解決するための手段】
【０００６】
本発明の各側面では、上述した課題を解決するために、それぞれ以下の構成を採用する。
【０００７】
第一の側面は、放射性薬剤の製造支援装置に関する。第一の側面に係る放射性薬剤の製造支援装置は、サイクロトロンを有する複数の提供施設における放射性核種の製造情報を取得する施設管理部と、前記放射性核種の提供を受け放射性薬剤を製造する製剤施設における製造ロットで必要となる前記放射性核種の量を示す必要量情報を取得する製剤管理部と、前記取得された製造情報及び必要量情報に基づいて、前記複数の提供施設の中から一以上の提供施設を前記製造ロット用の前記放射性核種の発注先施設として選択する発注調整部と、を備える。
【０００８】
第二の側面は、放射性薬剤の製造支援方法に関する。第二の側面に係る放射性薬剤の製造支援方法は、サイクロトロンを有する複数の提供施設における放射性核種の製造情報を取得し、前記放射性核種の提供を受け放射性薬剤を製造する製剤施設における製造ロットで必要となる前記放射性核種の量を示す必要量情報を取得し、前記取得された製造情報及び必要量情報に基づいて、前記複数の提供施設の中から一以上の提供施設を前記製造ロット用の前記放射性核種の発注先施設として選択する、ことを含む。
【発明の効果】
【０００９】
上記各側面によれば、外部施設が有するサイクロトロンを有効活用して放射性薬剤の安定的な製造を可能とする技術を提供することができる。
【図面の簡単な説明】
【００１０】
【図１】本実施形態に係る放射性薬剤の製造支援サーバ（支援サーバ）の周辺環境を示す概念図である。
【図２】本実施形態に係る放射性薬剤の製造支援サーバ（支援サーバ）の処理構成例を概念的に示す図である。
【図３】本実施形態に係る発注サーバのハードウェア構成例を概念的に示す図である。
【図４】本実施形態に係る発注サーバの処理構成例を概念的に示す図である。
【図５】提供施設情報ＤＢに格納される情報例を示す図である。
【図６】本実施形態に係る放射性薬剤の製造支援方法を示すフローチャートである。
【図７】発注先施設及びＲＩ発注量の決定方法を示すフローチャートである。
【発明を実施するための形態】
【００１１】
以下、本発明の実施の形態について説明する。なお、以下に挙げる実施形態は例示であり、本発明は以下の実施形態の構成に限定されない。
【００１２】
まず、本実施形態に係る放射性薬剤の製造支援サーバ（以降、支援サーバと略称する）及び製造支援方法の概要について説明する。
概要の説明前に、本実施形態に係る支援サーバが支援する放射性薬剤の製造に関わる周辺環境について図１を用いて説明する。図１は、本実施形態に係る支援サーバの周辺環境を示す概念図である。
【００１３】
当該周辺環境として、放射性薬剤の提供を受け放射性薬剤を利用する施設（利用施設）と、サイクロトロンを有し自前で放射性薬剤を製造する施設（以降、提供施設と表記する）と、放射性核種の提供を受け放射性薬剤を製造する施設（以降、製剤施設と表記する）との３種の施設が存在する。
利用施設は、製剤施設から放射性薬剤の提供を受けて利用する施設である。利用施設には、病院施設や大学、研究機関等などがあり得る。図１では、ＦＣ３−１及びＦＣ３−２が利用施設として例示されており、以降、利用施設を総称する場合、利用施設ＦＣ３と表記する。
【００１４】
提供施設は、自前のサイクロトロンでＲＩを製造する施設である。提供施設は、自前で製造したＲＩを用いてＲＩ化合物の合成を行う施設であってもよいし、合成したＲＩ化合物を用いて、さらに放射性薬剤の製造及び品質検査を行い、自前で放射性薬剤を製造する施設であってもよい。提供施設では、施設内で利用される放射性薬剤の製造に必要となるＲＩはその施設内で製造されるが、放射性薬剤の利用頻度が低くサイクロトロンの稼働率が低い施設も存在する。そこで、本実施形態では、提供施設で製造されたＲＩの余剰分が製剤施設に提供される。
提供施設は、医薬品の製造に供することのできる品質が保証されたＲＩを製造可能な施設であることが望まれる。加えて、提供施設は、提供可能なＲＩ量と、製剤施設へのＲＩの輸送及び製剤施設から利用施設への放射性薬剤の輸送に伴う放射能の減衰とを考慮して、提供されたＲＩを効率的に利用できる位置に存在することが望まれる。
図１では、ＦＣ１−１からＦＣ１−６が提供施設として例示されている。但し、提供施設は、保有するサイクロトロンのメンテナンス時などには利用施設になってもよい。以降、提供施設を総称する場合、提供施設ＦＣ１と表記する。
【００１５】
製剤施設は、提供施設ＦＣ１からＲＩの提供を受けそれを原料として放射性薬剤を製造し、市場に出荷することが許された、ＧＭＰ（Good Manufacturing Practice）適合施設である。製剤施設は、提供施設ＦＣ１との間のＲＩの輸送時間及び利用施設ＦＣ３との間の放射性薬剤の輸送時間、薬剤の製造時間などを考慮して、利用施設ＦＣ３の需要に応じて放射性薬剤を安定的に供給できる位置に設置されることが望まれる。図１では、ＦＣ５−１及びＦＣ５−２が製剤施設として例示されており、以降、製剤施設を総称する場合、製剤施設ＦＣ５と表記する。
【００１６】
提供施設ＦＣ１、利用施設ＦＣ３、及び製剤施設ＦＣ５は、輸送時間やＲＩ製造能力などの関係から、それらの組み合わせに制限が生じる場合がある。即ち、或る利用施設ＦＣ３からの放射性薬剤の受注に応じるための製剤施設ＦＣ５と提供施設ＦＣ１との組み合わせが制限される場合がある。
例えば、提供施設ＦＣ１−１の提供可能なＲＩ量が５ＧＢｑ（提供施設発送時点）であり、提供施設ＦＣ１−１と製剤施設ＦＣ５−２と利用施設ＦＣ３−２とのルートでの供給に１６時間かかると仮定する。この例において、ＲＩがフッ素１８（１８Ｆ）である場合、その半減期は約２時間であるため、提供施設ＦＣ１−１で製造されたＲＩを原料にして製造された放射性薬剤が利用施設ＦＣ３−２に到着する時点では、その放射能量は（１／２）８に減少し、約２０ＭＢｑとなる。これでは、非効率であるため、利用施設ＦＣ３−２への供給ルートには、提供施設ＦＣ１−１と製剤施設ＦＣ５−２とのルートは採用できない。
そこで、図１の例では、利用施設ＦＣ３−１への供給ルートには、製剤施設ＦＣ５−１と、提供施設ＦＣ１−１、ＦＣ１−２、ＦＣ１−３、ＦＣ１−４、又はＦＣ１−６とのルートが対象とされる。利用施設ＦＣ３−２への供給ルートには、製剤施設ＦＣ５−２と、提供施設ＦＣ１−３、ＦＣ１−４、ＦＣ１−５、又はＦＣ１−６とのルートが対象とされる。
【００１７】
本実施形態に係る支援サーバ及び製造支援方法は、製剤施設ＦＣ５における放射性薬剤の製造を支援する。なお、本実施形態の周辺環境において対象とされる利用施設ＦＣ３、提供施設ＦＣ１、及び製剤施設ＦＣ５の数は、図１の例に限定されない。また、利用施設ＦＣ３への供給ルートの制限についても図１の例に限定されず、輸送時間を考慮して、効率的な供給ルートが決められればよい。そのとき、一つの利用施設ＦＣ３への供給ルートとして複数の製剤施設ＦＣ５が対象とされてもよいし、一つの提供施設ＦＣ１からＲＩの提供を受ける対象となる製剤施設ＦＣ５は必ず一つと設定されてもよい。
【００１８】
図２は、本実施形態に係る支援サーバ１０の処理構成例を概念的に示す図である。
本実施形態に係る支援サーバ１０は、ソフトウェア要素として、施設管理部１１、製剤管理部１３、及び発注調整部１５を有する。これら各ソフトウェア要素は、例えば、図３に例示されるＣＰＵ（Central Processing Unit）１によりメモリ２に格納されるプログラムが実行されることにより実現される。そのプログラムは、例えば、ＣＤ（Compact Disc）、メモリカード等のような可搬型記録媒体や他のコンピュータから通信ユニット４を介してインストールされ、メモリ２に格納されてもよい。
支援サーバ１０は、１台又は２台以上のコンピュータであればよく、そのハードウェア構成は、図３の例に限定されない。
【００１９】
施設管理部１１は、複数の提供施設ＦＣ１における放射性核種（ＲＩ）の製造情報を取得する。
ここで「製造情報」とは、複数の提供施設ＦＣ１の各々におけるＲＩの製造に関する情報である。この製造情報には、例えば、製造日時及び製造量を示す製造スケジュールの情報、その提供施設ＦＣ１の製造能力の情報などがあり得る。この製造情報は、提供施設ＦＣ１ごとに予め定められた情報であってもよいし、そのような情報を一部に含んでもよい。
この製造情報の取得方法は制限されない。施設管理部１１は、予めメモリ２に格納されている製造情報を取得してもよいし、他のサーバ（図示せず）から通信により当該製造情報を取得してもよい。また、施設管理部１１は、入力画面を表示させその入力画面を介して入力された製造情報を取得してもよい。
【００２０】
製剤管理部１３は、製剤施設ＦＣ５における製造ロットで必要となるＲＩの量を示す必要量情報を取得する。製剤施設ＦＣ５では、利用施設ＦＣ３からの注文により製造計画が立案され、その製造計画において各製造ロットで必要となるＲＩの量がそれぞれ決められる。製剤管理部１３により取得される必要量情報は、或る製造ロットで放射性薬剤を製造するにあたり必要となるＲＩの量を示す情報である。
必要量情報により示されるＲＩの量は、ＲＩの放射性崩壊に対応するべく、或る基準時点での量として設定される。例えば、当該ＲＩの量は、製剤施設ＦＣ５での薬剤製造時点における量で設定されてもよいし、検定時点における量で設定されてもよいし、提供施設ＦＣ１におけるＲＩ製造時点における量で設定されてもよい。これは、本明細書において「ＲＩの量」について言及する全ての事項について当てはまることである。
この必要量情報の取得方法についても制限されない。製剤管理部１３は、予めメモリ２に格納されている必要量情報を取得してもよいし、他のサーバ（図示せず）から通信により当該必要量情報を取得してもよい。また、施設管理部１１は、入力画面を表示させその入力画面を介して入力された必要量情報を取得してもよい。
なお、「検定時」（「検定時刻」）とは、放射性薬剤の製品に表示された放射能を有する基準となる時刻である。
【００２１】
発注調整部１５は、施設管理部１１により取得された製造情報及び製剤管理部１３により取得された必要量情報に基づいて、複数の提供施設ＦＣ１の中から一以上の提供施設ＦＣ１を当該製造ロット用のＲＩの発注先施設として選択する。
【００２２】
本実施形態に係る支援サーバ１０は、上述のような各処理モジュールの処理により、本実施形態に係る放射性薬剤の製造支援方法（以降、単に支援方法と略称する場合もある）を実行することができる。
即ち、本実施形態に係る支援方法は、複数の提供施設ＦＣ１における放射性核種（ＲＩ）の製造情報を取得し、製剤施設ＦＣ５における製造ロットで必要となる当該ＲＩの量を示す必要量情報を取得し、取得された製造情報及び必要量情報に基づいて、当該複数の提供施設ＦＣ１の中から一以上の提供施設ＦＣ１を当該製造ロット用のＲＩの発注先施設として選択することを含む。
また、本実施形態は、このような支援方法をコンピュータに実行させるためのプログラム又はそのようなプログラムがコンピュータにより読み取り可能に記憶される記憶媒体であってもよい。
【００２３】
上述のようにして選択された発注先施設の情報は、製剤施設ＦＣ５における或る製造ロットで製造される放射性薬剤の原料となるＲＩの発注先の情報として用いられれば良い。当該発注先施設の情報に基づいてコンピュータにより自動で発注処理が実行されてもよいし、その情報を参照したユーザ（人）により発注処理が実行されてもよい。
【００２４】
概要として述べたとおり、本実施形態では、外部施設である複数の提供施設ＦＣ１におけるＲＩの製造情報を考慮して、製剤施設ＦＣ５で放射性薬剤を製造するのに必要となる量のＲＩの発注先が当該複数の提供施設ＦＣ１の中から選択される。
このため、各提供施設ＦＣ１にその施設内で利用する分以外のＲＩを製剤施設ＦＣ５に提供させることができると共に、そのように提供されたＲＩを原料として用いて製造された放射性薬剤を利用施設ＦＣ３に提供することができる。これにより、各提供施設ＦＣ１が有するサイクロトロンの稼働率を上げることができる。更に、発注先の選択候補として複数の提供施設ＦＣ１を対象としているため、サイクロトロンを持たない製剤施設ＦＣ５においても、利用施設ＦＣ３の需要に応じて安定的に放射性薬剤を製造することができる。即ち、本実施形態によれば、外部施設が有するサイクロトロンを有効活用して放射性薬剤の安定的な製造を可能とする。
【００２５】
以下、上述の支援サーバ１０及び支援方法についてより詳述する。
以下では、上述の支援サーバ１０の具体例として発注サーバ２０が例示される。
〔発注サーバ〕
図３は、本実施形態に係る発注サーバ２０のハードウェア構成例を概念的に示す図である。
発注サーバ２０は、いわゆるコンピュータであり、ＣＰＵ１、メモリ２、入出力インタフェース（Ｉ／Ｆ）３、通信ユニット４等を有する。
【００２６】
ＣＰＵ１は、一般的なＣＰＵに加えて、特定用途向け集積回路（ＡＳＩＣ）、ＤＳＰ（Digital Signal Processor）、ＧＰＵ（Graphics Processing Unit）等も含まれ得る。メモリ２は、ＲＡＭ（Random Access Memory）、ＲＯＭ（Read Only Memory）、補助記憶装置（ハードディスク等）である。
入出力Ｉ／Ｆ３は、表示装置、入力装置等のユーザインタフェース装置（図示せず）と接続可能である。表示装置は、ＬＣＤやＣＲＴディスプレイのような、ＣＰＵ１等により処理された描画データに対応する画面を表示する装置である。入力装置は、キーボード、マウス等のようなユーザ操作の入力を受け付ける装置である。表示装置及び入力装置は一体化され、タッチパネルとして実現されてもよい。
通信ユニット４は、通信網８を介した他のコンピュータとの通信や、プリンタ等の他の機器との信号のやりとり等を行う。通信ユニット４には、可搬型記録媒体等も接続され得る。
【００２７】
発注サーバ２０のハードウェア構成は、図３の例に制限されない。発注サーバ２０は、図示されていない他のハードウェア要素を含み得る。また、各ハードウェア要素の数も、図３の例に制限されない。例えば、発注サーバ２０は、複数のＣＰＵ１を有していてもよい。また、発注サーバ２０は、複数台のコンピュータにより実現されていてもよい。
【００２８】
発注サーバ２０は、受注システム３１、生産管理システム３２、配送管理システム３３、提供施設端末３５等と通信可能に接続されている。発注サーバ２０と他の端末又はシステムとの間の通信は、Ｗｉ−Ｆｉ（Wireless Fidelity）回線網、インターネット通信網、専用回線網、ＬＡＮ（Local Area Network）、ＷＡＮ（Wide Area Network）等の一つ又はそれらの組み合わせにより形成される通信網９を介して行われる。当該通信の具体的形態は制限されない。
【００２９】
受注システム３１は、製剤施設ＦＣ５のためのシステムであって、利用施設ＦＣ３からの放射性薬剤（放射性医薬品）の受注を管理するシステムである。受注システム３１は、受注情報を生産管理システム３２に提供する。受注システム３１は公知の一般的な機能を有していればよい。
生産管理システム３２は、製剤施設ＦＣ５のためのシステムであって、製剤施設ＦＣ５における放射性薬剤の製造（生産）を管理するシステムである。生産管理システム３２は、受注システム３１から受注情報を受け、この受注情報に基づいて、製剤施設ＦＣ５ごとに放射性薬剤の生産計画を立案し、生産計画情報を発注サーバ２０に提供する。生産計画情報には、製剤施設ＦＣ５ごとに、製造ロット単位で必要となるＲＩの量を示す必要量情報が少なくとも含まれる。
配送管理システム３３は、製剤施設ＦＣ５から発送される放射性薬剤の配送を管理するシステムである。配送管理システム３３は、公知の一般的な機能を有していればよい。
提供施設端末３５は、各提供施設ＦＣ１が備える据え置き型又は携帯型のコンピュータである。
【００３０】
図４は、本実施形態に係る発注サーバ２０の処理構成例を概念的に示す図である。
発注サーバ２０は、ソフトウェア要素として、施設管理部２１、発注調整部２２、製剤管理部２３、発注部２４、輸送管理部２５、納品管理部２６、提供施設情報データベース（以降、ＤＢと略称する）２７等を有する。これら各ソフトウェア要素は、例えば、ＣＰＵ１によりメモリ２に格納されるコンピュータプログラムが実行されることにより実現される。そのプログラムは、例えば、ＣＤ、メモリカード等のような可搬型記録媒体や他のコンピュータから通信ユニット４を介してインストールされ、メモリ２に格納されてもよい。
【００３１】
ＤＢ２７は、提供施設ＦＣ１に関する情報を格納する。
図５は、ＤＢ２７に格納される情報例を示す図である。
図５に示されるように、ＤＢ２７は、提供施設ＦＣ１ごとに、提供施設ＩＤ、製剤施設ＩＤ、製造計画、ＲＩ輸送時間などを格納する。
【００３２】
提供施設ＩＤは、個々の提供施設ＦＣ１の識別情報である。
製剤施設ＩＤは、個々の製剤施設ＦＣ５の識別情報である。製剤施設ＩＤには、提供施設ＩＤで特定される提供施設ＦＣ１からＲＩの提供を受け得る製剤施設ＦＣ５のＩＤが設定される。図１の例では、例えば、提供施設ＦＣ１−１に関する情報には製剤施設ＦＣ５−１の情報が含まれ、提供施設ＦＣ１−６に関する情報には製剤施設ＦＣ５−１及びＦＣ５−２の情報が含まれる。図５には、製剤施設ＩＤのフィールドは一つしか設けられていないが、複数設けられていてもよい。
【００３３】
製造計画は、提供施設ＩＤで特定される提供施設ＦＣ１における放射性核種（ＲＩ）の製造情報である。製造計画は、予め定められた固定情報であってもよいし、各提供施設ＦＣ１により所定タイミングで任意に決められる情報であってもよい。
製造計画は、提供施設ＦＣ１ごとにいつどのくらいの量のＲＩを提供できるのかを発注サーバ２０に把握させ得る情報であれば、その具体的内容は制限されない。図５の例では、計画供給量及び供給日時が製造計画として設定される。
計画供給量は、対応する供給日時にその提供施設ＦＣ１が提供できるＲＩの量を示し、その計画供給量には、例えば、上限量及び下限量が設定される。但し、製造計画には計画供給量ではなく、提供施設ＦＣ１での製造予定量が設定されてもよい。この場合、ＤＢ２７にその提供施設ＦＣ１におけるＲＩ製造性能（製造可能最大量）に関する情報が格納されることにより、発注サーバ２０は、製造可能最大量から当該提供施設用の製造予定量を減算することにより供給量を算出することができる。
【００３４】
ＲＩ輸送時間とは、提供施設ＦＣ１から製剤施設ＦＣ５までのＲＩの輸送に要する時間を意味する。発注サーバ２０は、このＲＩ輸送時間及び必要なＲＩの半減期に基づいて、各提供施設ＦＣ１に対するＲＩの発注量を決めることができる。ＲＩの輸送に要する時間は、道路状況などによっても変わり得るため、提供施設ＦＣ１ごとに複数のＲＩ輸送時間が設定されてもよい。例えば、輸送を行う日付や曜日、時刻などに応じて複数のＲＩ輸送時間が設定されてもよいし、通常時のＲＩ輸送時間と、交通事故など異常事態が生じた場合の輸送時間とが設定されてもよい。
また、製造情報にはＲＩ輸送時間ではなく、提供施設ＦＣ１から製剤施設ＦＣ５までの輸送距離が設定されてもよい。この場合、発注サーバ２０が輸送距離及び交通状況を考慮して輸送時間を予測することができる。
なお、ＤＢ２７は、発注サーバ２０内ではなく、外部のサーバ上に実現されてもよい。
【００３５】
施設管理部２１は、提供施設ＦＣ１ごとに、製剤施設ＩＤ、製造計画（製造情報）、及びＲＩ輸送時間をＤＢ２７から抽出する。ＤＢ２７が外部のサーバ上に存在する場合には、施設管理部２１は、通信により外部のサーバにアクセスし、その外部サーバからそれら情報を取得する。施設管理部２１は、図１の施設管理部１１に相当する。
また、ＤＢ２７に格納される製造計画において、提供施設ＦＣ１におけるサイクロトロンの計画照射量と計画利用量とが示されている場合、施設管理部２１は、計画照射量から当該提供施設用の計画利用量を減算することで、対応する供給日時における計画供給量を算出することができる。
【００３６】
施設管理部２１は、提供施設端末３５からその提供施設ＦＣ１の製造計画を受信し、その製造計画をＤＢ２７に反映してもよい。この場合、施設管理部２１は、ユーザインタフェース（ＵＩ）画面を提供施設端末３５に表示させ、そのＵＩ画面に対して入力された製造計画を取得してもよい。そのＵＩ画面では、例えば、製造計画としての計画供給量及び供給日時が入力される。また、施設管理部２１は、電子メールやファイル転送などで製造情報を取得してもよい。
【００３７】
製剤管理部２３は、生産管理システム３２から製剤施設ＦＣ５ごとの生産計画情報を取得する。この生産計画情報には、少なくとも、製剤施設ＦＣ５の識別情報及びその製剤施設ＦＣ５における製造ロットで必要となるＲＩの量（以降、ＲＩ必要量と表記する）を示す必要量情報が含まれる。このため、製剤管理部２３は、図１の製剤管理部１３に相当する。
【００３８】
発注調整部２２は、施設管理部２１により取得された提供施設ＦＣ１ごとの製造計画（製造情報）及び製剤管理部２３により取得された生産計画情報のＲＩ必要量に基づいて、当該複数の提供施設ＦＣ１の中から一以上の提供施設ＦＣ１を、その生産計画情報の対象となる対象製造ロットのＲＩの発注先施設として選択する。
このとき、発注調整部２２は、施設管理部２１により取得された製剤施設ＩＤに基づいて、製剤施設ＦＣ５ごとに対象となる提供施設ＦＣ１を特定し、この特定された提供施設ＦＣ１の中から発注先施設を選択する。また、対象となる提供施設ＦＣ１の条件には、その製造計画に、対象製造ロットの時刻までに製剤施設ＦＣ５へ到達できる供給日時が設定されていることも含まれる。
【００３９】
更に、発注調整部２２は、複数の発注先施設を選択した場合に、それら発注先施設の各々が提供可能な量（計画供給量）でありかつＲＩ必要量を満たすように、各発注先施設についてのＲＩ発注量をそれぞれ決定する。
この「ＲＩ発注量」についても上述したとおり、或る基準時点での量として設定される。例えば、ＲＩ必要量の基準時点が製剤施設ＦＣ５にＲＩが配達された時点に設定されており、ＲＩ発注量の基準時点が提供施設ＦＣ１からのＲＩの配送可能時点（製造計画の供給日時）に設定されている場合、発注調整部２２は、その提供施設ＦＣ１に関するＲＩ輸送時間とＲＩの半減期とを更に用いて、提供施設ＦＣ１ごとのＲＩ発注量を決める。
【００４０】
以下、発注先施設の選択方法及びＲＩ発注量の決定方法についてより具体的に説明する。
発注調整部２２は、当該複数の提供施設ＦＣ１の中から対象製造ロットの発注先候補として複数の発注候補施設を選択する。
このとき、発注調整部２２は、当該複数の提供施設ＦＣ１の中から、提供可能なＲＩ量（計画供給量）が多い又はＲＩ輸送時間が短い提供施設ＦＣ１を優先的に選択することで、発注候補施設の数を制限することが好ましい。発注候補施設の数を少なくすることで、ＲＩの輸送コスト及び輸送リスクを減らすことができる。提供可能なＲＩ量（計画供給量）は、上述したとおり、提供施設ＦＣ１ごとの製造情報に含まれていてもよいし、その製造情報に基づいて導出されてもよい。
計画供給量が製剤施設ＦＣ５への到達時刻又は利用施設ＦＣ３での検定時刻を基準点にして示されている場合には、発注調整部２２は、計画供給量が多い提供施設ＦＣ１を優先的に選択すればよい。この場合の計画供給量はその提供施設ＦＣ１から製剤施設ＦＣ５へのＲＩ輸送時間に伴う放射能減衰が考慮された値となるからである。一方、計画供給量が提供施設ＦＣ１からの発送時刻を基準にして示されている場合には、発注調整部２２は、計画供給量が多くかつＲＩ輸送時間が短い提供施設ＦＣ１を優先的に選択すればよい。また、計画供給量の差が提供施設ＦＣ１間でそれほど大きくない場合には、ＲＩ輸送時間の短い提供施設ＦＣ１が優先的に選択されればよい。
【００４１】
更に、発注調整部２２は、上述のように選択した各発注候補施設について希望発注量をそれぞれ決定する。具体的には、発注調整部２２は、製造情報から得られる発注候補施設の計画供給量を超えずかつＲＩ必要量を満たすように、各発注候補施設の希望発注量を決定する。例えば、発注調整部２２は、計画供給量の大きい又はＲＩ輸送時間が短い順に一つずつ提供施設ＦＣ１を発注候補施設として選択しながら、その都度、その提供施設ＦＣ１の希望発注量を決め、ＲＩ必要量を超えるまで提供施設ＦＣ１を選択する。希望発注量は、計画供給量と同一に設定されてもよいし、計画供給量よりも少ない量に設定されてもよい。
【００４２】
このようにして発注候補施設及びその希望発注量を決めると、発注調整部２２は、希望発注量及び供給日時を含む発注希望情報をその発注候補施設宛てに送信する。発注希望情報は、電子メールやファイル転送で送られてもよいし、提供施設端末３５に表示出力されてもよい。
また、発注調整部２２は、発注希望情報の送信を行うことなく、発注候補施設及びその希望発注量を入出力Ｉ／Ｆ３に接続される出力装置に出力させてもよい。この場合、出力された情報を発注サーバ２０のユーザが閲覧し、そのユーザ自身が電話又はＦＡＸにより発注候補施設へ発注希望情報を伝達してもよい。
【００４３】
発注調整部２２は、希望発注量に対する各発注候補施設からの回答情報に基づいて、各発注候補施設について発注先施設とするか否かを判定する。回答情報は、電子メールやファイル転送で提供施設端末３５から受信されてもよいし、提供施設端末３５に表示されたＵＩ画面に対する入力により取得されてもよい。また、回答情報は、発注サーバ２０の入力装置が操作されることで、発注サーバ２０へ入力されてもよい。
【００４４】
回答情報が受注可能であることを示す場合、発注調整部２２は、その回答情報の送信元である発注候補施設を発注先候補に決定すると共に、その発注候補施設の希望発注量をＲＩ発注量とする。
回答情報が受注不可であることを示す場合、発注調整部２２は、その回答情報に基づいて、その回答情報に対応する発注候補施設を対象製造ロットの発注先候補から除外し、残りの提供施設ＦＣ１の中から新たな発注先候補を選択し直す。
また、回答情報が希望発注量より少ない量であれば受注可能であることを示す場合、発注調整部２２は、その量に従って、新たな発注先候補を選択し直すか又はその回答情報に対応する発注候補施設を発注先候補に決定する。後者の場合、発注調整部２２は、決定した発注先候補の当初の希望発注量を変更し、ＲＩ発注量を当初の希望発注量とは異なる量（例えば、回答情報に設定されている量）に決定する。
【００４５】
発注部２４は、発注調整部２２により決定された発注先施設及びＲＩ発注量に基づき、各発注先施設（提供施設ＦＣ１）に対してＲＩの発注処理を行う。発注処理は、発注先施設ごとの方式に従って実行されればよい。例えば、発注先施設がＦＡＸによる発注を要求している場合、発注部２４は、ＲＩ発注量及び供給日時を含む発注情報をＦＡＸ送信してもよい。また、発注部２４はその発注情報を入出力Ｉ／Ｆ３に接続される印刷装置（出力装置）に印刷し、発注担当者がその印刷された発注情報を手動でＦＡＸ送信してもよい。また、全ての発注先施設との間で電子メールによる発注とすることが決められている場合には、発注部２４は、当該発注情報を電子メールで発注先施設に対応するアドレスに送信すればよい。このように発注部２４により実行される発注処理の具体的内容は制限されない。
発注処理が完了すると、発注部２４は、発注先施設及びＲＩ発注量の情報を生産管理システム３２に送信してもよい。
【００４６】
輸送管理部２５は、発注部２４から発注先施設の情報を取得し、ＲＩの輸送手段の発注先施設への到着時刻又は製剤施設ＦＣ５への到着時刻を示す輸送情報を生成する。各到着時刻情報は、ＵＩ画面を介して入力された情報であってもよい。ＲＩの輸送手段を運送会社に依頼する場合には、発注先施設への到着時刻の情報は、その運送会社のシステムから送信されてもよい。製剤施設ＦＣ５への到着時刻は、施設管理部２１により取得された製造情報の供給日時とＲＩ輸送時間とに基づいて、輸送管理部２５により自動で算出されてもよい。
【００４７】
輸送管理部２５は、生成された輸送情報を発注先施設に提供する。例えば、輸送管理部２５は、当該輸送情報を提供施設端末３５に表示させてもよい。この輸送情報により、発注先施設では、輸送手段の到着時刻を把握することができる。
また、輸送管理部２５は、その輸送情報を製剤施設ＦＣ５に提供する。これにより、製剤施設ＦＣ５にＲＩの到着時刻を知らせることができる。
また、輸送管理部２５は、発注先施設ごとに輸送手段の手配処理を行ってもよい。例えば、輸送管理部２５は、発注先施設への車両の手配を発注する発注情報を運送会社宛てに送信してもよい。
【００４８】
納品管理部２６は、ＲＩが製剤施設ＦＣ５に到着した後、ＲＩの納品完了の登録を受け付け、検収処理を行う。ＲＩの納品完了の登録は、例えば、ドライバが持つ携帯端末又は製剤施設ＦＣ５に備え付けられている端末から行われる。検収処理は、一般的な処理でよく、例えば、納品完了情報を経理システムへ送る処理などである。
【００４９】
〔放射性薬剤の製造支援方法〕
次に、発注サーバ２０で実行される放射性薬剤の製造支援方法について詳述する。
図６は、本実施形態に係る放射性薬剤の製造支援方法（以下、本方法と表記する場合もある）を示すフローチャートである。本方法は、例えば、上述のソフトウェア要素の動作により実現される。即ち、本方法は、ＣＰＵ１によりメモリ２に格納されるコンピュータプログラムが実行されることにより実現される。このため、本方法の実行主体は、発注サーバ２０、ＣＰＵ１、コンピュータ、又は上述の各ソフトウェア要素であるといえる。但し、本方法は、各工程において人手が介入することを許容する。
【００５０】
発注サーバ２０は、生産管理システム３２から生産計画情報を取得する（Ｓ１１）。この生産計画情報には、対象となる製剤施設ＦＣ５のＩＤ及びその製剤施設ＦＣ５における対象製造ロットのＲＩ必要量を示す必要量情報が含まれる。以降の説明では、説明の便宜のために、対象となる製剤施設が製剤施設ＦＣ５−１であり、対象製造ロットが午前４時の製造ロットであると仮定する。
【００５１】
発注サーバ２０は、当該製剤施設ＦＣ５−１のＩＤに基づいてＤＢ２７を参照することにより、対象の提供施設ＦＣ１に関する情報（レコード）をＤＢ２７から抽出する（Ｓ１２）。即ち、発注サーバ２０は、対象の提供施設ＦＣ１ごとに製造計画及びＲＩ輸送時間を取得する。
ここで、対象の提供施設ＦＣ１は、製剤施設ＦＣ５−１のＩＤと関連付けられており、かつ、製造計画に対象製造ロットの時刻（午前４時）までにその製剤施設ＦＣ５−１にＲＩを届けることができるような供給日時を設定している提供施設ＦＣ１である。製造計画の供給日時が提供施設ＦＣ１の発送日時となっている場合には、その供給日時とＲＩ輸送時間とに基づいて、製剤施設ＦＣ５−１へのＲＩの配達時刻を予測することができる。
本例では、製剤施設ＦＣ５−１のＩＤと関連付けられている提供施設ＦＣ１−１、ＦＣ１−２、ＦＣ１−３、ＦＣ１−４、及びＦＣ１−６が対象の提供施設として特定されたと仮定する。
【００５２】
発注サーバ２０は、工程（Ｓ１１）で取得された生産計画情報（特にＲＩ必要量）と、工程（Ｓ１２）で取得された対象の提供施設ＦＣ１ごとの製造計画及びＲＩ輸送時間とに基づいて、対象の提供施設ＦＣ１−１、ＦＣ１−２、ＦＣ１−３、ＦＣ１−４、及びＦＣ１−６の中から発注先施設及び各発注先施設のＲＩ発注量を決定する（Ｓ１３）。
工程（Ｓ１３）での決定方法の詳細については後述する。
【００５３】
発注サーバ２０は、工程（Ｓ１３）で決定された発注先施設及びＲＩ発注量に基づき、各発注先施設（提供施設ＦＣ１）に対してＲＩの発注処理を行う（Ｓ１４）。この発注処理については、発注部２４の処理として説明したとおりである。発注サーバ２０は、発注先施設、その発注先施設に対するＲＩ発注量、及びその発注先施設の供給日時を示す発注情報リストを入出力Ｉ／Ｆ３に接続される出力装置に出力するだけでもよい。この場合、実際の発注業務は、その出力された発注情報リストを閲覧した発注担当者が行えばよい。
【００５４】
発注サーバ２０は、発注処理が完了すると、各発注先施設に対する輸送手段の手配処理を行う（Ｓ１５）。この手配処理として、発注サーバ２０は、ＲＩの輸送手段の発注先施設への到着時刻又は製剤施設ＦＣ５への到着時刻を示す輸送情報を生成することができる。このような輸送情報に関わる処理については、輸送管理部２５の処理として説明したとおりである。
輸送手段の手配自体は、担当者により実施されてもよい。この場合、発注サーバ２０は、担当者の手配業務を支援するべく、各発注先施設の情報及び各発注先施設の供給日時などを示す手配情報を入出力Ｉ／Ｆ３に接続される出力装置に出力してもよい。
【００５５】
発注サーバ２０は、工程（Ｓ１５）の手配処理として生成された輸送情報を発注先施設及び製剤施設ＦＣ５に提供する（Ｓ１６）。輸送情報の提供手法については、輸送管理部２５の処理として説明したとおりである。
【００５６】
図７は、発注先施設及びＲＩ発注量の決定方法を示すフローチャートである。
以下、図６の工程（Ｓ１３）の内容について更に詳細に説明する。
【００５７】
発注サーバ２０は、工程（Ｓ１２）で取得された製造計画の計画供給量の大きい順又はＲＩ輸送時間の短い順に、対象の提供施設ＦＣ１の中の一つを発注候補施設として選択する（Ｓ２１）。このとき、ＤＢ２７から抽出された製造計画に計画照射量と計画利用量とが含まれている場合には、発注サーバ２０は、計画照射量から計画利用量を減算することにより、提供施設ＦＣ１ごとの計画供給量を算出してもよい。これは、計画照射量に代えて製造性能（製造可能最大量）が設定されていても同様に算出することができる。
【００５８】
本例では、対象の提供施設ＦＣ１−１、ＦＣ１−２、ＦＣ１−３、ＦＣ１−４、及びＦＣ１−６の中の一つが発注候補施設として選択される。
このように、提供可能なＲＩ量（計画供給量）が大きい又はＲＩ輸送時間が短い提供施設ＦＣ１を優先的に発注候補施設として選択することで、発注候補施設の数を制限することができる。このように発注候補施設の数を少なくすることで、ＲＩの輸送コスト及び輸送リスクを減らすことができる。
【００５９】
発注サーバ２０は、工程（Ｓ２１）で選択された発注候補施設の計画供給量に基づいて、その発注候補施設の希望発注量を決定する（Ｓ２２）。このとき、計画供給量がそのまま希望発注量とされてもよいし、計画供給量から所定量減量した量を希望発注量としてもよい。
【００６０】
発注サーバ２０は、発注候補施設の希望発注量を合算して、その合計量が工程（Ｓ１１）で取得された生産計画情報のＲＩ必要量を満たすか否かを判定する（Ｓ２３）。
ここで「合計量がＲＩ必要量を満たす」との判断は、合計量がＲＩ必要量よりも所定量分大きいか否かで判断されてもよい。これによれば、発注先施設で実際に製造された適切な品質のＲＩ量が発注量よりも少なくなってしまった場合や想定していたＲＩ輸送時間よりも交通状況などの影響でより長い輸送時間がかかってしまった場合などのリスクに対処することができる。
【００６１】
発注サーバ２０は、合計量がＲＩ必要量を満たさないと判断すると（Ｓ２３；ＮＯ）、次に計画供給量が大きい一つの提供施設ＦＣ１を発注候補施設として更に選択する（Ｓ２１）。そして、その新たに選択された発注候補施設の希望発注量が決定される（Ｓ２２）。以降、合計量がＲＩ必要量を満たすまで、工程（Ｓ２１）から工程（Ｓ２３）が繰り返し実行される。
ここでは、説明の便宜のため、対象の提供施設ＦＣ１−１、ＦＣ１−２、ＦＣ１−３、ＦＣ１−４、及びＦＣ１−６の中から提供施設ＦＣ１−２、ＦＣ１−３、及びＦＣ１−４が発注候補施設として選択されたものと仮定する。
【００６２】
発注サーバ２０は、合計量がＲＩ必要量を満たすと判断すると（Ｓ２３；ＹＥＳ）、各発注候補施設に対して、希望発注量及び供給日時を示す発注希望情報をそれぞれ送信する（Ｓ２４）。本例では、発注候補施設として選択された提供施設ＦＣ１−２、ＦＣ１−３、及びＦＣ１−４に対して、発注希望情報がそれぞれ送信される。
このとき、発注サーバ２０は、発注希望情報の送信を行わず、発注候補施設ごとの希望発注量及び供給日時を入出力Ｉ／Ｆ３に接続される出力装置に出力させるだけでもよい。この場合、出力された情報を発注サーバ２０のユーザが閲覧し、そのユーザ自身が電話又はＦＡＸにより発注候補施設へ発注希望情報を伝達してもよい。
【００６３】
発注サーバ２０は、工程（Ｓ２４）で送信された発注希望情報に対する回答情報を各発注候補施設からそれぞれ受信する（Ｓ２５）。回答情報の取得手法については、発注調整部２２の処理として説明したとおりである。例えば、回答情報は、入出力Ｉ／Ｆ３に接続される入力装置を用いた入力操作により発注サーバ２０が取得してもよい。この場合、各発注候補施設からの回答は、電話、ＦＡＸ、電子メールなどにより人手で得られてもよい。
【００６４】
発注サーバ２０は、受注不可を示す回答情報の存在を確認する（Ｓ２６）。
発注サーバ２０は、受注不可を示す回答情報が存在した場合（Ｓ２６；ＹＥＳ）、その回答情報の回答元である提供施設を発注候補施設から除外し、残りの提供施設ＦＣ１の中から次に計画供給量が大きい提供施設ＦＣ１を新たな発注候補施設として選択し直す（Ｓ２１）。
ここで、提供施設ＦＣ１−３の回答情報が回答不可を示している場合、発注サーバ２０は、提供施設ＦＣ１−３を発注候補施設から除外し、残りの提供施設ＦＣ１−１及びＦＣ１−６の中の一つを発注候補施設として選択し直す。例えば、提供施設ＦＣ１−６が新たに発注候補施設として選択される。
その後、その新たに選択された発注候補施設を対象として、工程（Ｓ２２）から工程（Ｓ２５）が実行される。このとき、工程（Ｓ２３）の判定により、更なる発注候補施設が追加選択されてもよい。
【００６５】
このようにして受注不可を示す回答情報がなくなると（Ｓ２６；ＮＯ）、発注サーバ２０は、条件付きで受注不可を示す回答情報の存在を確認する（Ｓ２７）。この回答情報は、希望発注量より少ない量であれば受注可能であることを示すものである。このような回答情報が存在する場合（Ｓ２７：ＹＥＳ）、発注サーバ２０は、その回答情報で示される量を超えない範囲で元の希望発注量を変更する（Ｓ２８）。
【００６６】
発注サーバ２０は、工程（Ｓ２８）により希望発注量の合計量が減少するため、希望発注量の合計量がＲＩ必要量を満たすか否かを再度判定する（Ｓ２９）。
発注サーバ２０は、合計量がＲＩ必要量を満たさない場合には（Ｓ２９：ＮＯ）、工程（Ｓ２１）に戻って、残りの提供施設ＦＣ１の中から一つの発注候補施設を追加選択する。
【００６７】
このようにして、受注不可及び条件付き受注不可を示す回答情報がなくなると（Ｓ２６；ＮＯ）、（Ｓ２７；ＮＯ）又は（Ｓ２９；ＹＥＳ）、発注サーバ２０は、全ての発注候補施設を発注先施設に決定し（Ｓ３０）、更に、各発注候補施設の希望発注量を各発注先施設のＲＩ発注量に決定する（Ｓ３１）。
【００６８】
図６の工程（Ｓ１３）における発注先施設及びＲＩ発注量の決定方法は、図７に示される方法に限定されない。例えば、発注候補施設を一つ選択する度に、発注希望情報の送信及び回答情報の受信を行うことで、その発注候補施設を発注先施設とするか否かがその都度判定されてもよい。
また、工程（Ｓ２１）においても計画供給量の大きさに加えて他の優先度を加味して発注候補施設が選択されてもよい。当該優先度としては、例えば、提供施設ＦＣ１の信頼度などが挙げられる。即ち、信頼度が高くかつ計画供給量が大きい順に発注候補施設が選択されてもよい。
また、工程（Ｓ２８）を実行する前に、回答情報で示される量と残りの提供施設ＦＣ１の計画供給量とを比較して、その量が残りの提供施設ＦＣ１の計画供給量よりも大きい場合に、工程（Ｓ２８）を実行してもよい。その量よりも残りの提供施設ＦＣ１の計画供給量が大きければ、その回答情報の回答元の提供施設ＦＣ１は発注候補施設から除外してもよい。
【００６９】
図６及び図７で示されるフローチャートでは、複数の工程（処理）が順番に記載されているが、工程の実行順序は、その記載の順番に制限されない。図示される工程の順番を内容的に支障のない範囲で変更することができる。
また、本方法は、対象となる製造ロットの日時の前日には完了しておくことが望ましい。一方で、工程（Ｓ２４）の実行時点と工程（Ｓ２５）の実行時点との間は、提供施設ＦＣ１側の検討時間などが必要となるため、或る程度の時間が必要とされる。即ち、本方法の実行開始から完了までには、或る程度の時間が要される。この点を考慮して、対象となる製造ロットの日時に基づいて、本方法の実行開始時が決められればよい。
【００７０】
［補足］
「ＲＩの量」に言及する事項については、上述したとおり、或る基準時点での量として設定される。「ＲＩの量」に言及する事項としては、生産計画情報のＲＩ必要量、製造計画の計画供給量、ＲＩの希望発注量、及びＲＩ発注量が挙げられる。これらは全て、共通の基準時点に基づいて示されてもよいし、個々に異なる基準時点に基づいて示されてもよい。後者の場合、例えば、ＲＩ必要量は製剤施設ＦＣ５での薬剤製造時点を基準時点とする量で示され、計画供給量、希望発注量、及びＲＩ発注量は、提供施設ＦＣ１での発送時点を基準時点とする量で示される。なお、このような基準時点の設定の仕方は何ら制限されない。
また、図３に示される発注サーバ２０、受注システム３１、生産管理システム３２、及び配送管理システム３３は、製剤施設ＦＣ５を稼働させる会社内で運用されてもよいし（オンプレミス）、その会社外（例えば、クラウド）で運用されてもよい。もちろん、発注サーバ２０のみが会社外（クラウド）で運用されてもよい。また、上述したように、発注サーバ２０が複数台のコンピュータで実現される場合には、発注サーバ２０が有するソフトウェア要素（図４参照）の一部が会社外（クラウド）で運用されるコンピュータ上で実現されていてもよい。例えば、提供施設情報ＤＢ２７がクラウド上のサーバ上で実現されてもよい。
【００７１】
［変形例］
上述の実施形態は、内容的に支障の生じない範囲で適宜、変形可能である。
例えば、発注サーバ２０は、発注部２４、輸送管理部２５、及び納品管理部２６を備えていなくてもよい。即ち、発注先施設及びＲＩ発注量が決定された後、実際の発注処理は発注サーバ２０により実施されなくてもよい。同様に、発注先施設への輸送手段の手配処理やＲＩの納品管理なども発注サーバ２０により実施されなくてもよい。この場合、図６に示される製造支援方法は、工程（Ｓ１４）、工程（Ｓ１５）、及び工程（Ｓ１６）を含まなくてもよい。
【００７２】
上述の内容は次のように特定することもできる。但し、以下の記載が上述の内容を限定するものではない。
（付記１）  サイクロトロンを有する複数の提供施設における放射性核種の製造情報を取得する施設管理部と、
前記放射性核種の提供を受け放射性薬剤を製造する製剤施設における製造ロットで必要となる前記放射性核種の量を示す必要量情報を取得する製剤管理部と、
前記取得された製造情報及び必要量情報に基づいて、前記複数の提供施設の中から一以上の提供施設を前記製造ロット用の前記放射性核種の発注先施設として選択する発注調整部と、
を備える放射性薬剤の製造支援装置。
（付記２）  前記発注調整部は、前記発注先施設を複数選択した場合に、該複数の発注先施設の各々が提供可能な量でありかつ前記必要量情報が示す必要量を満たすように、該複数の発注先施設の各々についての発注量をそれぞれ決定する、
（付記１）に記載の放射性薬剤の製造支援装置。
（付記３）  前記発注調整部は、
前記複数の提供施設の中から前記製造ロット用の前記放射性核種の発注先候補として複数の発注候補施設を選択し、
前記複数の発注候補施設の各々についての希望発注量をそれぞれ決定し、
前記希望発注量に対する前記複数の発注候補施設からの回答情報に基づいて、前記複数の発注候補施設の各々について前記発注先施設とするか否かを判定する、
（付記１）又は（付記２）に記載の放射性薬剤の製造支援装置。
（付記４）  前記発注調整部は、前記回答情報に基づいて、該回答情報に対応する発注候補施設を前記製造ロット用の前記放射性核種の前記発注先候補から除外し、前記複数の提供施設の中から新たな発注先候補を選択し直す、
（付記３）に記載の放射性薬剤の製造支援装置。
（付記５）  前記発注調整部は、前記回答情報に基づいて、該回答情報に対応する発注候補施設を前記発注先施設に決定すると共に、該発注先施設の前記希望発注量を変更する、
（付記３）又は（付記４）に記載の放射性薬剤の製造支援装置。
（付記６）  前記発注調整部は、前記複数の提供施設の中から、提供可能な前記放射性核種の量が多い又は前記放射性核種の輸送時間が短い提供施設を優先的に選択することで、前記発注候補施設の数を制限する、
（付記３）から（付記５）のいずれか一つに記載の放射性薬剤の製造支援装置。
（付記７）  前記放射性核種の輸送手段の前記発注先施設への到着時刻又は前記製剤施設への到着時刻を示す輸送情報を生成する輸送管理部、
を更に備える（付記１）から（付記６）のいずれか一つに記載の放射性薬剤の製造支援装置。
（付記８）  サイクロトロンを有する複数の提供施設における放射性核種の製造情報を取得し、
前記放射性核種の提供を受け放射性薬剤を製造する製剤施設における製造ロットで必要となる前記放射性核種の量を示す必要量情報を取得し、
前記取得された製造情報及び必要量情報に基づいて、前記複数の提供施設の中から一以上の提供施設を前記製造ロット用の前記放射性核種の発注先施設として選択する、
ことを含む放射性薬剤の製造支援方法。
（付記９）  前記発注先施設を複数選択した場合に、該複数の発注先施設の各々が提供可能な量でありかつ前記必要量情報が示す必要量を満たすように、該複数の発注先施設の各々についての発注量をそれぞれ決定する、
ことを更に含む（付記８）に記載の放射性薬剤の製造支援方法。
（付記１０）  前記複数の提供施設の中から前記製造ロット用の前記放射性核種の発注先候補として複数の発注候補施設を選択し、
前記複数の発注候補施設の各々についての希望発注量をそれぞれ決定し、
前記希望発注量に対する前記複数の発注候補施設からの回答情報に基づいて、前記複数の発注候補施設の各々について前記発注先施設とするか否かを判定する、
ことを更に含む（付記８）又は（付記９）に記載の放射性薬剤の製造支援方法。
（付記１１）  前記回答情報に基づいて、該回答情報に対応する発注候補施設を前記製造ロット用の前記放射性核種の前記発注先候補から除外し、
前記複数の提供施設の中から新たな発注先候補を選択し直す、
ことを更に含む（付記１０）に記載の放射性薬剤の製造支援方法。
（付記１２）  前記回答情報に基づいて、該回答情報に対応する発注候補施設を前記発注先施設に決定すると共に、該発注先施設の前記希望発注量を変更する、
ことを更に含む（付記１０）又は（付記１１）に記載の放射性薬剤の製造支援方法。
（付記１３）  前記発注候補施設の選択では、前記複数の提供施設の中から、提供可能な前記放射性核種の量が多い又は前記放射性核種の輸送時間が短い提供施設を優先的に選択することで、前記発注候補施設の数を制限する、
（付記１０）から（付記１２）のいずれか一つに記載の放射性薬剤の製造支援方法。
（付記１４）  前記放射性核種の輸送手段の前記発注先施設への到着時刻又は前記製剤施設への到着時刻を示す輸送情報を生成する、
ことを更に含む（付記８）から（付記１３）のいずれか一つに記載の放射性薬剤の製造支援方法。
【符号の説明】
【００７３】
１  ＣＰＵ
２  メモリ
３  入出力Ｉ／Ｆ
４  通信ユニット
１０  放射性薬剤の製造支援サーバ（支援サーバ）
１１  施設管理部
１３  製剤管理部
１５  発注調整部
２０  発注サーバ
２１  施設管理部
２２  発注調整部
２３  製剤管理部
２４  発注部
２５  輸送管理部
２６  納品管理部
２７  提供施設情報ＤＢ（ＤＢ）
３１  受注システム
３２  生産管理システム
３３  配送管理システム
３５  提供施設端末
【図１】
2018106642.tif 000003
【図２】
2018106642.tif 000004
【図３】
2018106642.tif 000005
【図４】
2018106642.tif 000006
【図５】
2018106642.tif 000007
【図６】
2018106642.tif 000008
【図７】
2018106642.tif 000009